(57)【特許請求の範囲】
【請求項１】
コンピュータデバイスであって、
ディスプレイスクリーンを含む第１の部分及び入力デバイスを含む第２の部分と、
被覆された、順次式に回転する、多数のマルチピボット軸を備える、ヒンジアセンブリであって、前記第１の部分が前記第２の部分から離れる方向に回転させられるときに、当該コンピュータデバイスのフットプリントを拡張するような方法において前記第１の部分及び前記第２の部分を回転可能に固定する、ヒンジアセンブリとを含む、
コンピュータデバイス。
【請求項２】
前記第２の部分は、水平な表面の上に位置付けられるように構成され、前記第１の部分は、格納位置から展開位置に、前記水平な表面に対して回転させられるように構成され、拡張させられたフットプリントは、前記展開位置において、当該コンピュータデバイスの質量中心を前記拡張させられたフットプリントの上に維持する、請求項１に記載のコンピュータデバイス。
【請求項３】
前記第２の部分は、水平な表面の上に位置付けられるように構成され、前記第１の部分は、概ね水平な向きにおいて前記第２の部分の上に位置付けられるように構成され、前記水平な表面に対して鈍角にある展開位置まで前記水平な表面に対して回転させられるように構成され、前記拡張させられたフットプリントは、前記展開位置において、当該コンピュータデバイスの質量中心を前記拡張させられたフットプリントの上に維持し、前記ヒンジアセンブリは、前記第２の部分に最も近い第１のヒンジ軸で開始して、前記第１のヒンジ軸による所定の回転角度の完了後の前記第２の部分からもっと遠い第２のヒンジ軸まで順次式に進んで、前記第１の部分が前記水平な向きから回転させられるときに、ヒンジ軸のセットの周りで回転する、請求項１に記載のコンピュータデバイス。
【請求項４】
前記ヒンジアセンブリは、重なり合うカバーのセットを更に含む、請求項１に記載のコンピュータデバイス。
【請求項５】
前記重なり合うカバーは、前記ヒンジアセンブリの回転機能性及び前記ヒンジアセンブリの順次式のタイミング機能性に寄与する、請求項４に記載のコンピュータデバイス。
【請求項６】
前記第１の部分内に位置付けられるプロセッサとバッテリとを更に含む、請求項１に記載のコンピュータデバイス。
【請求項７】
第１の部分及び第２の部分と、
前記第１の部分及び前記第２の部分を固定する多軸ヒンジアセンブリとを含み、
該多軸ヒンジアセンブリは、重なり合うカバーと、前記多軸ヒンジアセンブリの個々の軸の回転の順序を定める、前記重なり合うカバー内に位置付けられる時限リンク要素とを含む、
コンピュータデバイス。
【請求項８】
前記時限リンク要素は、前記第１の部分及び前記第２の部分が互いに離れる方向に回転させられるときに、回転を前記第２の部分に最も近い一個の回転軸に初期的に限定することによって、並びに、前記第１の部分及び前記第２の部分が互いに向かって回転させられるときに、回転を前記第１の部分に最も近い他の一個の回転軸に初期的に更に限定することによって、前記回転の順序を定める、請求項７に記載のコンピュータデバイス。
【請求項９】
第１の一個の時限リンク要素は、第１及び第２の一個のカバーと相互作用し、前記第１の一個の時限リンク要素は、前記第１の一個のカバーが所定の回転角度を完了するまで、前記第２の一個のカバーの回転を妨げる、請求項７に記載のコンピュータデバイス。
【請求項１０】
前記第１及び第２の一個のカバーは互いに隣接し合う、或いは、第３の一個のカバーが前記第１及び第２の一個のカバーの間に介装される、請求項９に記載のコンピュータデバイス。
【請求項１１】
個々のカバーは、概ね細長い、請求項７に記載のコンピュータデバイス。
【請求項１２】
個々のカバーは、空洞を定め、前記多軸ヒンジアセンブリの少なくとも部分が、前記空洞内に収容される、請求項７に記載のコンピュータデバイス。
【請求項１３】
前記個々のカバーは、凸面と、前記空洞を定める対抗する凹面とを有する、請求項１２に記載のコンピュータデバイス。
【請求項１４】
第１の一個のカバーの前記凸面は、別個の隣接するカバーの前記凸面の上で関節作動するように構成される、請求項１３に記載のコンピュータデバイス。
【請求項１５】
個々のカバーが、前記個々の軸の周りの回転の角度を限定する、請求項７に記載のコンピュータデバイス。
【発明の詳細な説明】
【発明の概要】
【０００１】
添付の図面は、本文書中で伝えられる着想の実施を例示している。添付の図面と共に後続の記述を参照することによって、例示する実施の構成をより容易に理解し得る。様々な図面中の同等の参照番号は、実現可能な場合にはいつでも、同等の要素を示すために用いられている。更に、各参照番号における最も左側の数字は、参照番号が最初に持ち出される図面及び関連する議論を伝えている。
【図面の簡単な説明】
【０００２】
【図１】本着想の幾つかの実施に従った被覆された順次式に回転する多軸ヒンジアセンブリの実施例を含む例示的なデバイスの斜視図を示している。
【図２】本着想の幾つかの実施に従った被覆された順次式に回転する多軸ヒンジアセンブリの実施例を含む例示的なデバイスの斜視図を示している。
【０００３】
【図３】本着想の幾つかの実施に従った被覆された順次式に回転する多軸ヒンジアセンブリの実施例を含む例示的なデバイスの部分切欠き斜視図を示している。
【０００４】
【図４】本着想の幾つかの実施に従った被覆された順次式の回転する多軸ヒンジアセンブリの実施例の斜視図を示している。
【図５】本着想の幾つかの実施に従った被覆された順次式の回転する多軸ヒンジアセンブリの実施例の斜視図を示している。
【０００５】
【図６】本着想の幾つかの実施に従った被覆された順次式に回転する多軸ヒンジアセンブリの実施例の分解斜視図を示している。
【０００６】
【図７】図６の被覆された順次式に回転する多軸ヒンジアセンブリの実施例の部分お分解斜視図を示している。
【０００７】
【図８】本着想の幾つかの実施に従った被覆された順次式に回転する多軸ヒンジアセンブリの実施例の断面図を示している。
【図９】本着想の幾つかの実施に従った被覆された順次式に回転する多軸ヒンジアセンブリの実施例の断面図を示している。
【図１０】本着想の幾つかの実施に従った被覆された順次式に回転する多軸ヒンジアセンブリの実施例の断面図を示している。
【図１１】本着想の幾つかの実施に従った被覆された順次式に回転する多軸ヒンジアセンブリの実施例の断面図を示している。
【０００８】
【図１２】本着想の幾つかの実施に従った被覆された順次式に回転する多軸ヒンジアセンブリの実施例を含む例示的なデバイスの他の部分切欠き斜視図を示している。
【発明を実施するための形態】
【０００９】
本着想は、多軸又はマルチピボット(multi-pivot)ヒンジを利用してコンピュータデバイス(computing  device)の部分を回転可能に固定する、コンピュータデバイスに関する。マルチピボットヒンジは、ヒンジを使用者から守り且つ使用者をヒンジから守るよう機能し得るヒンジカバーを含み得る。ヒンジカバーは、ヒンジの機能性にも構造的に寄与し得る。よって、それら（例えば、ヒンジカバー）がヒンジ機能性及びヒンジカバー機能性の両方に寄与する二重機能要素であり得る点において、ヒンジカバーはマルチピボットヒンジと一体化されたものと考えられ得る。更に、幾つかの実施は、個々のヒンジが回転する順序を制御し得る。１つのそのような場合は、ヒンジを最初から最後まで（例えば、順次式に）所定の順序において作動させ得る。
【００１０】
導入的な図１乃至３は、コンピュータデバイス１００の実施例を集合的に示している。この実施例において、コンピュータデバイス１００は、被覆された順次式に回転する多軸ヒンジアセンブリ１０６（例えば、ＣＳＲＭＡヒンジアセンブリ）によって互いに回転可能に固定される第１の部分１０２と第２の部分１０４とを有する。図１は、「正面」からコンピュータデバイス１００を示しており、図２は、「背面」からコンピュータデバイス１００を示している。図１及び２は、第１及び第２の部分が互いに相対的に平行に向けられ且つ互いに並置される「閉塞」又は「格納」位置においてコンピュータデバイス１００を示している。この場合、概ね水平な表面（特に指し示されていない）に位置付けられるように第２の部分１０４を構成し得る。第１及び第２の部分は、互いに概ね平行であり、水平な表面である。閉塞位置において、ＣＳＲＭＡヒンジアセンブリ１０６は、コンパクトであり且つ運び易いフットプリントＦｃをもたらし得ることに留意のこと。図３に関してフットプリントを以下に更に議論する。
【００１１】
図３は、「開放」又は「展開」位置におけるコンピュータデバイス１００の部分切欠き斜視図を示している。この実施例では、展開位置において、第１及び第２の位置は、図１乃至２の閉塞位置におけるゼロに近い角度と対照的に、互いに鈍角αを定める。
【００１２】
ＣＳＲＭＡヒンジアセンブリ１０６の特徴を以下により詳細に記載する。ＣＳＲＭＡヒンジアセンブリは、統合ヒンジカバー３０２のセット（一組の統合ヒンジカバー（ＩＨＣ））を含み得る。この実施において、隣接する統合ヒンジカバーは、互いに重なり合って、回転中に下に位置する要素を覆い隠し得る。統合ヒンジカバー３０２は、それらが構造的なヒンジ要素でもあるヒンジカバーとして機能する点において、統合的である。別の言い方をすれば、統合ヒンジカバーは、ヒンジ機能に不可欠であり得るし、ヒンジカバーとしても機能し得る。
【００１３】
この実施例は、４つの統合ヒンジカバー３０２を含む。他の実施例は、２つ、３つ、又は５つ以上の統合ヒンジカバーを含んでよい。例示の構成において、個々の統合ヒンジカバー３０２は、概ね細長くあり得る（例えば、ｙ軸に対する長軸に沿って延び得る）。個々の統合ヒンジカバー３０２は、概ね凸面３０４及び概ね対向する凹面３０６も含み得る（全ての凸面及び凹面が特別に指し示されているわけではない）。１つのカバーの凹面が隣接する統合ヒンジカバーの凸面に対して回転するときに、凹面及び凸面は重なり合い得るし、隣接する統合ヒンジカバーの間の回転的な相互作用を可能にし得る。
【００１４】
この場合、コンピュータデバイス１００は、入力要素又はデバイス３０８も含み得る。この実施例において、入力デバイス３０８は、キーボード３１０として顕現している。他の実施は、他の入力デバイスを利用し得る。この実施例において、コンピュータデバイス１００は、タッチセンサ式ディスプレイパネルのような、ディスプレイスクリーン３１２も含み得る。コンピュータデバイス１００は、数あるコンポーネント（構成部品）の中でも、プロセッサ３１４、メモリ／記憶装置３１６、及び／又はバッテリ３１８も含み得る。これらの要素を第１の部分１０２及び／又は第２の部分１０４内に位置付け得る。
【００１５】
ＣＳＲＭＡヒンジアセンブリ１０６は、第１の部分１０２と第２の部分１０４との間の回転を可能にするよう、第１の部分１０２及び第２の部分１０４に固定され得る。ＣＳＲＭＡヒンジアセンブリ１０６は、比較的恒久的な方法において（例えば、最終消費者によって容易に分離可能であることを意図しない方法において）第１の部分及び第２の部分に固定され得る。代替的に、ＣＳＲＭＡヒンジアセンブリ１０６は、比較的素早く取付け可能／取外し可能な方法において（例えば、最終使用者によって容易に分離可能であることを意図する方法において）第１の部分及び第２の部分に固定され得る。この後者の構成の１つのそのような実施例を、図１２に関連して以下により詳細に記載する。
【００１６】
ＣＳＲＭＡヒンジアセンブリ１０６のこの実施は、デバイスが図１乃至２の閉塞位置から図３の開放位置に移行させられるときに、コンピュータデバイスのフットプリントを増大させ得る漸進式(progressive)又は順次式(sequential)ヒンジであることにも留意のこと。例えば、閉塞フットプリントｆｃを開放又は展開フットプリントｆｄと比較のこと。この拡張させられたフットプリント構成は、ディスプレイ３１２、プロセッサ３１４、メモリ／記憶装置３１６、及びバッテリ３１８のような、電子コンポーネントの一部又は全部が、第１の部分３１２内に位置付けられる、この実施において特に有益であり得る。ＣＳＲＭＡヒンジアセンブリによって提供される拡張させられたフットプリントは、コンピュータデバイスの暗転性を増大させ得るし、これらのコンポーネントの重量の故にデバイスが展開位置において後向きにひっくり返る可能性を減少させ得る。ＣＳＲＭＡヒンジアセンブリのこの漸進式又は順次式な性質を、図９に関連して以下により詳細に記載する。別の言い方をすれば、ＣＳＲＭＡヒンジアセンブリ１０６の順次式な性質は、コンピュータデバイス１００を安定させ且つ転倒を減少させる（例えば、フットプリントに亘る質量中心を維持する）のに役立ち得る展開位置における足部３２０(フット)(foot)を創り出し得る。
【００１７】
図４乃至７は、例示的なＣＳＲＭＡヒンジアセンブリ１０６Ａを集合的に示している。図４は、開放又は展開位置におけるＣＳＲＭＡヒンジアセンブリ１０６Ａを示しており、図５は、閉塞位置におけるＣＳＲＭＡヒンジアセンブリ１０６Ａを示している。図６は、図４に示す開放位置の分解図を示している。３つの統合ヒンジカバー３０２Ａがこれらの図面に示されている。統合ヒンジカバーは、カバーがカバー機能性に加えてヒンジ機能性に寄与する点において、統合されていると考えられ得る。
【００１８】
図７乃至８は、ＣＳＲＭＡヒンジアセンブリ１０６Ａの部分の追加的な詳細を集合的に示している。図７は、図６に示すようなＣＳＲＭＡヒンジアセンブリ１０６Ａの拡大された部分を示している。（図面の紙面上の空間制約の故にあらゆる要素のあらゆる事例を指し示すのは現実的でないことに留意のこと。各カバー３０２に関して各要素の少なくとも１つの事例を印すように配慮している。）図８は、ｘｙ基準平面に沿って取られた断面図を示している。
【００１９】
図７を参照すると、例示のＣＳＲＭＡヒンジアセンブリ１０６Ａは、それぞれのカバー３０２Ａに対して位置付けるための摩擦エンジン７０２の形態の回転要素を含む。摩擦エンジン７０２は、摩擦バンド７０６の上に載る摩擦シャフト７０４を含み得る。摩擦シャフト７０４は、摩擦エンジンのための回転軸（ＡｏＲ）（例えば、ヒンジ軸）を定め得る。１つのそのような回転軸が、図７において摩擦エンジン７０２（３）に関して印されており、４つの回転軸が、図８において印されている。特定の回転要素が示され且つ記載されるが、回転軸の周りの回転をもたらし得る並びに他の回転要素と協働して作動し得る他の回転要素が想定される。
【００２０】
この実施において、摩擦シャフト７０４は、（図面の紙面上の空間制約の故に摩擦エンジン７０２（１）に関してのみ印されている）中心化ピン７０８を含み得る。中心化ピン７０８は、第１の直径７１０及び第２の直径７１２を有し得る。第１のファスナ７１４（締結具）が、矢印７１５によって示されるように、摩擦エンジン７０２の摩擦バンド７０６をそれぞれの統合ヒンジカバー３０２Ａに固定し得る。摩擦エンジン７０２の背後の統合ヒンジカバー内に空隙７１６を形成して、摩擦エンジン７０２を通過する第１のファスナのいずれの部分も、摩擦エンジンの背後で統合ヒンジカバー３０２Ａに結合する(binding  on)のを防止し、それにより、摩擦エンジンの回転を制限し得る。この特徴を図１１に関して以下により詳細に記載する。
【００２１】
組立中、中心化ピン７０８は、スロット７１７を介してそれぞれの統合ヒンジカバー３０２Ａを通過し得る。第２のファスナ７１８が、摩擦エンジン７０２の摩擦シャフト７０４を隣接する統合ヒンジカバー３０２Ａに固定し得る（例えば、第２のファスナは、隣接する統合ヒンジカバーを回転可能に相互接続し得る）。例えば、統合ヒンジカバー３０２Ａ（２）に関して、摩擦シャフト７０４（２）は、矢印７２０によって示されるように、第２のファスナ７１８（１）によって隣接する統合ヒンジカバー３０２Ａ（１）に固定され得る。このプロセス中、摩擦エンジン７０２（２）の（摩擦エンジン７０２（１）に関してのみ印されている）中心化ピン７０８は、統合ヒンジカバー３０２Ａ（２）のスロット７１７（２）を通過して、統合ヒンジカバー３０２Ａ（１）の整列孔７２２（１）と係合する第１の直径７１０（２）によって、摩擦エンジンを統合ヒンジカバー３０２Ａ（１）に対して方向付け得る。第１の寸法７１０と第２の寸法７１２との間の移行は、隣接する統合ヒンジカバー３０２Ａに対する摩擦シャフト７０４の圧縮を制限する「ショルダ」（肩部）を創り出し得る。
【００２２】
ｚ基準方向におけるスロット７１７（２）の高さに対する中心化ピンの第２の直径７１２（２）の相対的な寸法は、摩擦エンジン７０２（２）の動作範囲を定め得る。同様に、第２のファスナ７１８（１）に対するｚ基準方向におけるスロットの高さは、摩擦エンジン７０２（２）の動作範囲（例えば、回転の程度）を定め得る（例えば、スロットのプロファイルは、中心化ピン７０８の第２の直径７１２（２）及び第２のファスナ７１８（１）が、カバー３０２Ａ（２）を同時に衝突するようなプロファイルである）。この特徴を図９に関して以下により詳細に記載する。
【００２３】
順序付けピン７２４(sequencing  pin)が、矢印７３２によって指し示されるように、統合ヒンジカバー３０２Ａの孔７２６内に載り且つ隣接する統合ヒンジカバー３０２Ａのカム表面７２８及び７３０と係合し得る。この図面では、カム表面７２８のみが見える。しかしながら、この特徴は、カム表面７２８及び７３０の両方が見え且つ印されている図９に関して、以下により詳細に議論される。
【００２４】
図６及び７の分解図は、統合ヒンジカバー３０２Ａの他に、他のヒンジ要素を示していることに留意のこと。対照的に、図１乃至３の組立図では、統合ヒンジカバーは、他のヒンジ要素を効果的に覆い且つ覆い隠す。他のヒンジ要素を覆うことは、他のヒンジ要素を、回転中にヒンジ要素に捕えられるようになってヒンジ要素を損傷させることがあるペン又はジッパのような異物に由来するような、損傷から守り得る。同様に、統合ヒンジカバーによってもたらされる保護がないならば、使用者は、ヒンジ回転中に他のヒンジ要素によって狭窄されるようになり得る。更に、統合ヒンジカバーは、より審美的に心地良いヒンジ外観を創り出し、それにより、全体的に審美的に心地良いコンピュータデバイス外観を創り出し得る。
【００２５】
１つの視点から図７の例示の要素を考察するとき、統合ヒンジカバー３０２Ａを他のヒンジ要素と組み合わせて、ＣＲＳＭＡヒンジアセンブリ１０６Ａを形成し得る。よって、統合ヒンジカバー３０２Ａと組み合わせられるときにＣＲＳＭＡヒンジアセンブリ１０６Ａを形成し得る、マルチピボットヒンジアセンブリ７３４として、他のヒンジ要素を考慮し得る。
【００２６】
図９乃至１１は、図８に示されるようなｘｚ基準平面を通じる断面図を示しており、以下に集合的に議論される。
【００２７】
説明の目的のために、図９は、ＣＲＳＭＡヒンジアセンブリ１０６Ａの２つの事例を示している。事例１は、図１に類似する具体的な閉塞位置を示している。事例２は、図３に類似する具体的な展開位置である。図９に例示される関心点は、第２の部分１０４Ａに対して近位で開始して第１の部分１０２Ａに向かって漸進する、ＣＲＳＭＡヒンジアセンブリの順次的な性質である。この場合、統合ヒンジカバー３０２Ａの回転は、カバー３０２Ａ（１）で開始し、事例１において、カバー３０２Ａ（１）は、既に回転させられ、ｘ基準方向と平行に向けられている。この時点で、統合ヒンジカバー３０２Ａ（２）は回転し得る。しかしながら、ピン７２４（２）は、統合ヒンジカバー３０２Ａ（３）が回転するのを妨げる。別の言い方をすれば、ピン７２４（２）はカム表面７２８（２）と係合しており、統合ヒンジカバー３０２Ａ（３）は回転し得ない。何故ならば、ピン７２４（２）はカム表面７２８（２）から離れる方向に退避し得ないからである。ピン７２４（２）は（正のｘ基準方向において）前方に動き得ないので、カム表面７２８（２）におけるピンの係合は統合ヒンジカバー３０２Ａ（３）の回転を妨げる。統合ヒンジカバー３０２Ａ（２）が回転して（統合ヒンジカバー３０２Ａ（１）と同様に）水平位置になると、ピン７２４（２）は前方に動き（例えば、カム表面７２８（２）によって前方にカム作動させられ(cammed)、ピンがカム表面７３０（１）と係合するまでカム表面７２８（２）から離れる方向に退避し得る。この時点で、ピン７２４（２）はもはや統合ヒンジカバー３０２Ａ（３）を遮断せず、回転は事例２に示される地点まで続き得る。
【００２８】
ピン７２４のオフセットした性質の故にこの図面に示されていないものの、図８に関して例示されているが、プロセスは統合ヒンジカバー３０２Ａ（３）内に位置付けられる他のピン７２４並びにカム作用する統合ヒンジカバー３０２Ａ（２）及び第１の部分１０２Ａを用いて反復し得る。よって、１つの視点から、ピン７２４は、カム表面７２８及び７３０との組み合わせにおいて、ＣＳＲＭＡヒンジアセンブリの順次的な性質（例えば、個々のヒンジ軸の周りの回転の順序）を制御するタイミング要素(timing  elements)又は時限リンク要素(timed  link  elements)９０２の実施例として考えられ得る。よって、統合ヒンジカバー３０２Ａは、ヒンジ接続される要素(hinged  elements)又はリンクされる要素(linked  elements)と考えられ得る。そして、時限リンク要素９０２は、リンク要素の相対的な動きを定め得る。
【００２９】
ＣＳＲＭＡヒンジアセンブリ１０６Ａの順次的な性質は、フットプリント（例えば、長さ）を事例１の閉塞位置におけるＦｃから事例２の展開位置におけるｆｄに増大させることに留意のこと。この特徴を図１乃至３に関して上で紹介した。
【００３０】
図９は、この実施において、ピン７２４（２）が統合ヒンジカバー３０２Ａ（２）の孔７２６（２）内に形成される部分的なカウンターボア９０６よりも僅かに小さい外径を有するショルダ９０４を有し得ることを示していることにも留意のこと。ショルダ及びカウンターボアは、製造プロセス中にピン７２４（２）がＣＳＲＭＡヒンジアセンブリ１０６Ａから抜け落ちるのを防止し得る。
【００３１】
図１０は、摩擦エンジン７０２の回転範囲を定め得る統合ヒンジカバー３０２Ａ（１）に形成されるスロット７１７を示している。この場合、寸法は、スロットの上面１００２及び下面１００４によって定められる。第２のファスナ７１８が摩擦エンジンの摩擦シャフト７０４に固定されることを思い出されたい。摩擦シャフト７０４は、ファスナ７１８が例示のように上面１００２と接触するまで回転し得る。摩擦シャフト７０４は、ファスナ７１８が下面１００４と接触するまで、所定の動作範囲又は所定の回転角度（例えば、角度数）を通じて反対方向に回転し得る。統合ヒンジカバーの数によって倍加される個々のスロットの所定の範囲は、ＣＳＲＭＡヒンジアセンブリ１０６Ａの回転範囲を定め得る。例えば、４５度の所定の範囲を有する４つのヒンジカバーは、１８０度の全体的なヒンジ回転をもたらす。
【００３２】
図１１は、ＣＳＲＭＡヒンジアセンブリ１０６Ａの他の図面を示している。この図面は、摩擦バンド７０６を統合ヒンジカバー３０２Ａに固定する第１のファスナ７１４を示している。例えば、ファスナ７１４（１）は、統合ヒンジカバー３０２Ａ（１）を摩擦エンジン７０２（１）の摩擦バンド７０６（１）に固定し得る。（例えば、ｘ基準方向において）ファスナ７１４（１）と一致して形成される空隙７１６（１）は、ファスナが統合ヒンジカバー３０２Ａ（２）に結合する或いはその他の方法で接触することによって、ファスナが統合ヒンジカバー３０２Ａ（２）に対する摩擦エンジンの回転を不注意に制限する状況を回避し得る。別の言い方をすれば、空隙７１６及び／又は他の要素を利用して、統合ヒンジカバー３０２Ａ（１）を統合ヒンジカバー３０２Ａ（２）に並びに／或いは統合ヒンジカバー３０２Ａ（２）を統合ヒンジカバー３０２Ａ（３）に剛的に（例えば、回転不能に）締め付けるのを回避し得る。
【００３３】
この実施において、個々の統合ヒンジカバー３０２Ａは、空洞１１０２を定め得ることに留意のこと。統合ヒンジカバー３０２Ａ（３）に関して例示されるように、摩擦エンジン７０２（３）は空洞１１０２（３）内に位置付けられる。更に、第１のファスナ７１４（３）は、摩擦エンジン（例えば、摩擦バンド７０６（３））の非可動部分を統合ヒンジカバー３０２Ａ（３）に固定する働きもし得る。第２のファスナ７１８（３）（図１０を参照）は、回転部分（例えば、摩擦シャフト７０４（３））を隣接する統合ヒンジカバー３０２Ａ（２）に固定して、統合ヒンジカバー３０２Ａ（２）と統合ヒンジカバー３０２Ａ（３）との間の回転を可能にする働きをし得る。よって、これらのヒンジコンポーネントは、統合ヒンジカバー内に含められ得る且つ／或いは重なり合い領域（例えば、隣接する統合ヒンジカバーの凹面と重なり合う１つのヒンジカバーの凸面）を通じて統合ヒンジカバーの間を通り得る
【００３４】
１つの視点から見ると、上述の記載は、順次式ヒンジを利用するＣＳＲＭＡヒンジアセンブリ実施の構造的要素に関する大いなる詳細を提供し、このＣＳＲＭＡヒンジアセンブリ実施は、マルチピボットヒンジがヒンジをラップトップ又は他のデバイスを支持する足部として用いるのを可能にする制御された順次的な方法において巻かれ(roll)或いは展開され(unroll)得るよう、ピンを係止し且つ係止解除するよう対抗するカバーからカム作用で外れる(cam  off)滑動ピンを用いる。展開作用は、デバイスの梃子の支点を後方に動かして、デバイスのためのより長いホイールベース又はフットプリントをもたらし、ひいては、使用者が例えばタッチスクリーンと相互作用するときに、デバイスが転倒する可能性をより少なくし得る。
【００３５】
よって、本実施の一部は、統合ヒンジカバーの間のリンク及び多数のピボット（例えば、旋回軸）を含むマルチピボットヒンジを利用するものとして特徴付けられ得る。ロックを（例えば、ｘ基準方向において）前後(fore  and  aft)に押して隣接するリンクを係止し且つ係止解除するリンク内に埋め込まれるカム作用を介して、そのようなピボット及びリンクの間の滑動ロックを所定の位置に移動させ得る。ロックを隣接する統合ヒンジカバー内で互い違いにさせて、リンクの間の漸進的な連結(communication)を可能にし得る。
【００３６】
リンクを係止し且つ一度に１つだけの能動的なピボットを有する能力を有することは、異なるトルク値が異なる回転ゾーンで可能にさせられるのを可能にし得る。幾つかの実施において、この構成は、閉じられたデバイスを開くときに、そして、作動又は展開角度（＞９０度）にあるときにも、より高いトルクをもたらし得る。ディスプレイモーメントは、ディスプレイが水平に閉じられるとき又は接触力がディスプレイに適用されるときに最大である。これらはより高いトルクを必要としがちであるシナリオであるのに対し、中間範囲（３６〜１０５度）は低トルクゾーンであり得る。何故ならば、ディスプレイモーメントは低く、使用者の接触力はこれらの角度では要因となりがちでないからである。
【００３７】
１つの視点から、多摩擦ヒンジをＣＳＲＭＡヒンジアセンブリ中のデバイスのいずれかの側に互い違い編成で直列に配置し得る。機械的停止部（例えば、図１０の上面１００２及び下面１００４）を組み込んで回転軸のための両方向における進行を制限し得る。１つの回転軸のみが一度に回転し得るよう、滑動係止又はリンク要素（例えば、ピン７２４）が個々の回転軸を順次的に係止し且つ係止解除し得る。追加的な支持が望まれる場合、（プラスチックスペーサのような）スペーサを各ヒンジカバーの間に利用して、隣接する統合ヒンジカバーが互いに擦り合うのを減少させ且つ／或いは防止し得る。
【００３８】
図１２は、図３の図面と類似する図面を示している。この場合、コンピュータデバイス１００Ｂは、ＣＳＲＭＡヒンジアセンブリ１０６Ｂによって回転可能に固定される第１の部分１０２Ｂと第２の部分１０４Ｂとを含む。この実施例において、ＣＳＲＭＡヒンジアセンブリ１０６Ｂは、矢印１２０２によって示すように、最終消費者がＣＳＲＭＡヒンジアセンブリ１０６Ｂから第１の部分１０２Ｂ及び第２の部分１０４Ｂの一方又は両方を容易に取り外すのを可能にするよう構成される。この実施例において、ＣＳＲＭＡヒンジアセンブリ１０６Ｂは、迅速取付け／取外しアセンブリ１２０４を含み得る。迅速取付け／取外しアセンブリ１２０４は、第１の部分１０２Ｂ及びＣＳＲＭＡヒンジアセンブリ１０６Ｂにそれぞれ配置される協働的に作動する要素１２０６及び１２０８を含んでよい。
【００３９】
１つの実施例において、要素１２０６はラッチとして顕現し得るし、要素１２０８は受けとして顕現し得る。ラッチは受けと係合して、第１の部分１０２ＢをＣＳＲＭＡヒンジアセンブリ１０６Ｂと取外し可能に連結させ得る。他の実施例において、要素１２０６及び１２０８は、第１の部分をＣＳＲＭＡヒンジアセンブリから分離するよう使用者によって克服され得る方法において互いに磁気的に連結してよい。他の迅速取付け／取外しアセンブリ１２０４が想定される。ＣＳＲＭＡヒンジアセンブリ１０６Ｂを第１及び／又は第２の部分に機械的に連結することに代えて或いは加えて、迅速取付け／取外しアセンブリ１２０４は、第１の部分及び第２の部分の電子コンポーネントを取外し可能に電気的に連結し得ることに更に留意のこと。例えば、迅速取付け／取外しアセンブリ１２０４は、第１の部分１０２Ｂからのプロセッサ３１４、記憶装置／メモリ３１６、及び／又はバッテリ３１８を、第２の部分１０４Ｂ内のビデオプロセッサ１２１０に電気的に連結してよい。
【００４０】
よって、迅速取付け／取外しアセンブリ１２０４は、使用者が第１の部分１０２Ｂ又は第２の部分１０４Ｂを取り外して、他方と無関係にいずれかの部分を用いるのを可能にし得る。例えば、第１の部分１０２Ｂをスタンドアローン（独立型）のタブレットデバイスとして操作してよく、次に、ＣＳＲＭＡヒンジアセンブリ１０６Ｂを介して第２の部分１０４Ｂに取り付けて、ラップトップデバイスにより類似のデバイスを形成してよい。使用者は、アプリケーション特異なデバイスのために、第１の部分１０２Ｂ又は第２の部分１０４Ｂを交換し得てもよい。例えば、個々の第２の部分は、キーボード及び／又はタッチスクリーンを含んでよい。特定のシナリオにおいて、使用者は、第１のタッチスクリーンを第１の部分として取り付け、第２のタッチスクリーンを第２の部分として取り付け、デバイスを本のように利用してよい。他のシナリオでは、使用者が、タッチスクリーンを第１の部分として取り付け、キーボード及びトラックパッドを含む入力デバイスを第２の部分として取り付け、デバイスをラップトップのように利用してよい。他の構成及び実施が想定される。
【００４１】
ＣＳＲＭＡヒンジアセンブリの個々の要素を、とりわけ、板金、ダイカスト金属、及び／又は鋳造プラスチックのような材料、又はこれらの材料の任意の組み合わせから作製し得る。
【００４２】
ＣＳＲＭＡヒンジアセンブリを、非限定的に、ノートブックコンピュータ、スマートホン、ウェアラブルスマートデバイス、及び／又は、他の種類の既存の、開発中の、及び／又は将来開発されるコンピュータデバイスのような、任意の種類のコンピュータデバイスと共に利用し得る。
【００４３】
（例示的な方法）
ＣＳＲＭＡヒンジアセンブリについての製造、組立て、及び使用の様々な方法が、図１乃至１２に関して上で示したものを超えて想定される。
【００４４】
（追加的な実施例）
様々な実施例を上述した。追加的な実施例を下述する。他の実施例は、第１の部分及び第２の部分として顕現する。その実施例は、第１の部分及び第２の部分を固定する回転可能に相互接続される細長いカバーのセット（一組の細長いカバー）も含み得る。個々の細長いカバーは、空洞を定め得る。その実施例は、ヒンジ要素のセット（一組のヒンジ要素）を含むマルチピボットヒンジアセンブリを更に含み得る。個々のヒンジ要素は、第１の個々の細長いカバーの空洞内に位置付けられ、第１の個々の細長いカバーと第２の隣接する細長いカバーとの間に回転可能に固定され、個々のヒンジ要素が細長いカバーと平行なヒンジ軸の周りで旋回するのに効果的である。
【００４５】
個々の細長いカバーは、凸面と、空洞を定める対抗する凹面とを有する、上の及び／又は下の実施例の任意の組み合わせ。
【００４６】
第１の個々の細長いカバーの凸面は、第２の隣接する細長いカバーの凹面に対して回転可能に固定される、上の及び／又は下の実施例の任意の組み合わせ。
【００４７】
ヒンジ要素のセットの回転がタイミング要素によって順次式に制御される、上の及び／又は下の実施例の任意の組み合わせ。
【００４８】
タイミング要素は第１の一個の細長いカバー内に位置付けられ、第２の隣接する細長いカバーまで延びる、上の及び／又は下の実施例の任意の組み合わせ。
【００４９】
ヒンジ要素は摩擦エンジンを含む、上の及び／又は下の実施例の任意の組み合わせ。
【００５０】
ヒンジ要素のセットは、第１の部分が第２の部分と概ね平行であり且つ第２の部分の上にある格納位置から、第１の部分が第２の部分に対して鈍角にある展開位置に回転させられるように構成される、上の及び／又は下の実施例の任意の組み合わせ。
【００５１】
ヒンジ要素のセットは、第２の部分に近接する第１の一個のヒンジ要素で開始して、第１の一個のヒンジ要素が所定の回転範囲を完了するときに第２の一個のヒンジ要素にのみ進んで、格納位置から展開位置に順次式に回転するように構成される、上の及び／又は下の実施例の任意の組み合わせ。
【００５２】
第２の部分は、細長いカバーを横断して測定されるような格納位置におけるコンピュータデバイスのフットプリントを定め、展開位置において、回転可能に相互接続される細長いカバーのセットは、フットプリントを拡張する、上の及び／又は下の実施例の任意の組み合わせ。
【００５３】
電子コンポーネントが第１の部分内に位置付けられ、拡張させられたフットプリントは、コンピュータデバイスが展開位置において転倒することから安定化させる、上の及び／又は下の実施例の任意の組み合わせ。
【００５４】
他の実施例が、ディスプレイスクリーンを含む第１の部分及び入力デバイスを含む第２の部分として顕現する。その実施例は、第１の部分が第２の部分から離れる方向に回転させられるときに、コンピュータデバイスのフットプリントが延長するような方法において、第１の部分及び第２の部分を回転可能に固定する、被覆された順次式に回転する多軸ヒンジアセンブリを含み得る。
【００５５】
第２の部分は、水平な表面の上に位置付けられるように構成され、第１の部分は、格納位置から展開位置に水平な表面に対して回転させられるように構成される、上の及び／又は下の実施例の任意の組み合わせ。拡張させられるフットプリントは、コンピュータデバイスの質量中心を展開位置における拡張させられたフットプリントの上に維持する。
【００５６】
第２の部分は、水平な表面の上に位置付けられるように構成され、第１の部分は、概ね水平な向きにおいて第２の部分の上に位置付けられるように構成され、水平な表面に対して鈍角にある展開位置まで水平な表面に対して回転させられるように構成される、上の及び／又は下の実施例の任意の組み合わせ。拡張させられたフットプリントは、コンピュータデバイスの質量中心を展開位置において拡張させられたフットプリントの上に維持し、被覆された順次式に回転するマルチピボットヒンジアセンブリは、第１の部分が水平な向きから回転させられるときに、第２の部分に最も近い第１のヒンジ軸で開始して、第１のヒンジ軸による所定の回転角度の完了後の第２の部分からもっと遠い第２のヒンジ軸に順次式に進んで、ヒンジ軸のセット（一組のヒンジ軸）の周りで回転する。
【００５７】
被覆された順次式に回転するマルチピボットヒンジアセンブリは、重なり合うカバーのセット（一組の重なり合うカバー）を更に含む、上の及び／又は下の実施例の任意の組み合わせ。
【００５８】
重なり合うカバーは、被覆された順次式に回転するマルチピボットヒンジアセンブリの回転機能性及び被覆された順次式に回転するマルチピボットヒンジアセンブリの順次式のタイミング機能性に寄与する、上の及び／又は下の実施例の任意の組み合わせ。
【００５９】
バッテリ及びプロセッサが第１の部分内に位置付けられる、上の及び／又は下の実施例の任意の組み合わせ。
【００６０】
他の実施例が、第１の部分及び第２の部分として顕現する。その実施例は、第１の部分及び第２の部分を固定する、多軸ヒンジアセンブリも含み得る。多軸ヒンジアセンブリは、重なり合うカバーと、多軸ヒンジアセンブリの個々の軸の回転の順序を定める重なり合うカバー内に位置付けられる時限リンク要素とを含む。
【００６１】
時限リンク要素は、第１の部分及び第２の部分が互いに離れる方向に回転させられるときに、回転を第２の部分に最も近い一個の回転軸に初期的に限定し、第１の部分及び第２の部分が互いに向かって回転させられるときに、回転を第１の部分に最も近い他の一個の回転軸に初期的に更に限定することによって、回転の順序を定める、上の及び／又は下の実施例の任意の組み合わせ。
【００６２】
第１の一個の時限リンク要素が、第１及び第２の個々のカバーと相互作用する、上の及び／又は下の実施例の任意の組み合わせ。第１の一個の時限リンク要素は、第１の一個のカバーが所定の回転角度を完了するまで、第２の一個のカバーの回転を妨げる。
【００６３】
第１及び第２の個々のカバーは互いに隣接し合う、或いは、第３の一個のカバーが第１及び第２の個々のカバーの間に介装される、上の及び／又は下の実施例の任意の組み合わせ。
【００６４】
第１の部分を多軸ヒンジアセンブリに取外し可能に連結し且つ／或いは第２の部分を多軸ヒンジアセンブリに取外し可能に連結するように構成される、迅速取付け／取外しアセンブリを更に含む、上の及び／又は下の実施例の任意の組み合わせ。
【００６５】
（結論）
被覆されたヒンジアセンブリに関する技術、方法、デバイス、システム等は、構造的構成及び方法論的行為に特異な言語において記載されるが、付属の請求項に定められる主題は、記載される特定の構成又は行為に必ずしも限定されないことが理解されるべきである。むしろ、特定の構成及び行為は、請求する方法、デバイス、システム等を実施する例示的な形態として開示されている。
【図１】
0006618533.tif 000002
【図２】
0006618533.tif 000003
【図３】
0006618533.tif 000004
【図４】
0006618533.tif 000005
【図５】
0006618533.tif 000006
【図６】
0006618533.tif 000007
【図７】
0006618533.tif 000008
【図８】
0006618533.tif 000009
【図９】
0006618533.tif 000010
【図１０】
0006618533.tif 000011
【図１１】
0006618533.tif 000012
【図１２】
0006618533.tif 000013